(57)【要約】【課題】風路変更手段の位置ずれの可能性が低い場合に余分なリセット動作を省くことによって使用感と耐久年数を向上させた浴室換気乾燥機を提供する。【解決手段】温度推定手段により風路変更手段１０の温度による位置ずれの発生しやすさを判断し、位置ずれの可能性が低い場合には風路変更手段１０の位置を変更する際に、風路変更板１１を初期位置に戻すリセット動作を省略することにより、使用感と耐久年数を向上させた浴室換気乾燥機を得られる。【選択図】図１
2017089958.tif 000002
【特許請求の範囲】
【請求項１】
浴室内から吸い込んだ空気を送風する送風手段と、
前記浴室内の空気を循環するための循環風路と前記浴室内の空気を換気するための換気風路を切り替える風路変更手段と、
前記風路変更手段の温度を推定する温度推定手段と、
前記風路変更手段の動作を制御する制御手段とを備え、
前記風路変更手段は、
配置角度に応じて前記循環風路と前記換気風路の風量割合を変更する風路変更板と、
前記風路変更板を駆動するステッピングモータとを有し、
前記制御手段は、
前記風路変更手段を介して前記風量割合を変更する際、
前記温度推定手段が推定した温度状態に基づいて前記風路変更板を初期位置に戻した後に目標位置に移動するか、または前記風路変更板を初期位置に戻さずに直接目標位置に移動する動作を選択する浴室換気乾燥機。
【請求項２】
前記温度推定手段は温度を検知する温度検知手段であり、
前記制御手段は、
前記風路変更手段を介して前記風量割合を変更する際、
前記温度検知手段による検知温度が所定の温度より高い場合は前記風路変更板を初期位置に戻した後に目標位置に移動し、
前記検知温度が所定の温度よりも低い場合は前記風路変更板を初期位置に戻さずに直接目標位置に移動する請求項１記載の浴室換気乾燥機。
【請求項３】
前記温度推定手段は前記吸い込んだ空気を加熱する加熱手段であり、
前記制御手段は、
前記風路変更手段を介して前記風量割合を変更する際、
前記変更時の運転状態が前記加熱手段を駆動している状態である場合は前記風路変更板を初期位置に戻した後に目標位置に移動し、
前記加熱手段を駆動していない状態である場合は前記風路変更板を初期位置に戻さずに直接目標位置に移動する請求項１記載の浴室換気乾燥機。
【請求項４】
前記温度推定手段は前記吸い込んだ空気を加熱する加熱手段であり、
前記制御手段は、
前記風路変更手段を介して前記風量割合を変更する際、
加熱手段の駆動時間を算出し、
前記駆動時間が所定の駆動時間以上である場合は前記風路変更板を初期位置に戻した後に目標位置に移動し、
前記駆動時間が所定の駆動時間未満である場合は前記風路変更板を初期位置に戻さずに直接目標位置に移動する請求項１記載の浴室換気乾燥機。
【請求項５】
前記風路変更板の角度と当該角度において前記風路変更板が受ける風圧とを関連付けて記憶する角度風圧記憶手段を備え、
前記制御手段は、
前記風路変更手段を介して前記風量割合を変更する際、
前記温度状態に加えて前記変更時の前記風路変更板の角度と角度風圧記憶手段とに基づいて前記風路変更板を初期位置に戻した後に目標位置に移動するか、または前記風路変更板を初期位置に戻さずに直接目標位置に移動する動作を選択する請求項１に記載の浴室換気乾燥機。
【請求項６】
前記送風手段の送風量を検知する送風量検知手段を備え、
前記制御手段は、
前記風路変更手段を介して前記風量割合を変更する際、
前記温度状態に加えて前記変更時の前記送風量検知手段からの送風量に基づいて前記風路変更板を初期位置に戻した後に目標位置に移動するか、または前記風路変更板を初期位置に戻さずに直接目標位置に移動する動作を選択する請求項１または５に記載の浴室換気乾燥機。
【発明の詳細な説明】
【技術分野】
【０００１】
本発明は、浴室の暖房や乾燥に使用される浴室換気乾燥機に関するものである。
【背景技術】
【０００２】
従来、この種の浴室換気乾燥機は、浴室内の空気を換気する換気風路と、浴室内の空気を循環させる循環風路とを備え、風路変更板とステッピングモータからなる風路変更手段によって、各風路の風量を切り替えるものが知られている。
【０００３】
そして、ステッピングモータの分野では、温度によるステッピングモータのトルク変化を考慮し、温度条件に応じてステッピングモータ駆動時の制御を変化させる技術が知られている（例えば、特許文献１参照）。
【先行技術文献】
【特許文献】
【０００４】
【特許文献１】特開昭６１−７７５７０号公報
【発明の概要】
【発明が解決しようとする課題】
【０００５】
このような風路変更手段を有する浴室換気乾燥機において、従来、運転状態を切替える際は、一旦風路変更板の位置を初期位置に戻した後に目標位置に移動するという動作をさせていた。これは、運転中に風路変更板の位置がずれていた場合でも、一旦風路変更板を初期位置に戻してストッパと衝突させ、ずれを補正することにより、切替え後の運転状態では風路変更板を意図通りの位置にするためである。しかし、この方法では、風路変更板の位置がずれる可能性が低い場合でも、運転状態を切替える際には必ず初期位置に移動する動作を経由するため、切替え後の運転状態となるまでに、風路変更手段の移動時間分だけ長くかかってしまう。また、初期位置に移動してストッパと衝突する回数が多いほど、ステッピングモータの耐用年数、すなわち風路変更手段の耐用年数は短くなりやすい。
【０００６】
よって本発明は、切替え後の運転状態となるまでの時間を短縮し、さらに風路変更手段の耐用年数を延長した浴室換気乾燥機を提供することを目的とする。
【課題を解決するための手段】
【０００７】
そして、この目的を達成するために、本発明に係る浴室換気乾燥機は、浴室内から吸い込んだ空気を送風する送風手段と、前記浴室内の空気を循環するための循環風路と前記浴室内の空気を換気するための換気風路を切り替える風路変更手段と、前記風路変更手段の温度を推定する温度推定手段と、前記風路変更手段の動作を制御する制御手段とを備え、前記風路変更手段は、配置角度に応じて前記循環風路と前記換気風路の風量割合を変更する風路変更板と、前記風路変更板を駆動するステッピングモータとを有し、前記制御手段は、前記風路変更手段を介して前記風量割合を変更する際、前記温度推定手段が推定した温度状態に基づいて前記風路変更板を初期位置に戻した後に目標位置に移動するか、または前記風路変更板を初期位置に戻さずに直接目標位置に移動する動作を選択するものであり、これにより所期の目的を達成するものである。
【発明の効果】
【０００８】
本発明に係る浴室換気乾燥機によれば、切替え後の運転状態となるまでの時間を短縮し、さらに、風路変更手段の耐用年数を延長するという効果を得ることができる。
【図面の簡単な説明】
【０００９】
【図１】本発明の実施の形態１に係る浴室換気乾燥機の構成を示す側断面図
【図２】本発明の実施の形態１に係る浴室換気乾燥機のステッピングモータのトルクの温度特性の一例を示した特性図
【図３】本発明の実施の形態１に係る浴室換気乾燥機の構成を示すブロック図
【図４】本発明の実施の形態２に係る浴室換気乾燥機の構成を示すブロック図
【図５】本発明の実施の形態３に係る浴室換気乾燥機の構成を示すブロック図
【図６】本発明の実施の形態３に係る浴室換気乾燥機の角度風圧記憶手段の一例を示したテーブル
【図７】本発明の実施の形態４に係る浴室換気乾燥機の構成を示すブロック図
【発明を実施するための形態】
【００１０】
本発明に係る浴室換気乾燥機は、浴室内から吸い込んだ空気を送風する送風手段と、前記浴室内の空気を循環するための循環風路と前記浴室内の空気を換気するための換気風路を切り替える風路変更手段と、前記風路変更手段の温度を推定する温度推定手段と、前記風路変更手段の動作を制御する制御手段とを備え、前記風路変更手段は、配置角度に応じて前記循環風路と前記換気風路の風量割合を変更する風路変更板と、前記風路変更板を駆動するステッピングモータとを有し、前記制御手段は、前記風路変更手段を介して前記風量割合を変更する際、前記温度推定手段が推定した温度状態に基づいて前記風路変更板を初期位置に戻した後に目標位置に移動するか、または前記風路変更板を初期位置に戻さずに直接目標位置に移動する動作を選択するという構成を有する。
【００１１】
これにより、運転状態を切替える際に、温度推定手段の推定温度が所定の温度より高い場合のみ、風路変更板を一旦初期位置に戻してから目標位置に移動し、所定の温度より低い場合には風路変更板を直接目標位置に移動する。つまり風路変更板の位置がずれている可能性が高い場合には、意図した位置に風路変更板を移動させることができ、風路変更板の位置がずれている可能性が低い場合には、余分な動作を省くことにより、切替え後の運転状態となるまでの時間を短縮することができる。また、初期位置に戻す回数を減少させることにより、風路変更手段の耐用年数を延長することができ、ユーザの使用感を向上させるとともに、風路変更手段の耐用年数を延長するという効果を得られる。
【００１２】
また、前記温度推定手段として温度を検知する温度検知手段を用い、前記制御手段は、前記風路変更手段を介して前記風量割合を変更する際、前記温度検知手段による検知温度が所定の温度より高い場合は前記風路変更板を初期位置に戻した後に目標位置に移動し、前記検知温度が所定の温度よりも低い場合は前記風路変更板を初期位置に戻さずに直接目標位置に移動する構成にしてもよい。
【００１３】
これにより、運転状態を切替える際に、温度検知手段の検知温度が所定の温度より高い場合は、風路変更板を一旦初期位置に戻してから目標位置に移動し、所定の温度より低い場合は風路変更板を直接目標位置に移動する。つまり風路変更板の位置のずれを抑えつつ、余分な動作を省くことにより、切替え後の運転状態となるまでの時間を短縮することができ、ユーザの使用感が向上するとともに、風路変更手段の耐用年数を延長するという効果を得られる。
【００１４】
また、前記温度推定手段として前記吸い込んだ空気を加熱する加熱手段を用い、前記制御手段は、前記風路変更手段を介して前記風量割合を変更する際、前記変更時の運転状態が前記加熱手段を駆動している状態である場合は前記風路変更板を初期位置に戻した後に目標位置に移動し、前記加熱手段を駆動していない状態である場合は前記風路変更板を初期位置に戻さずに直接目標位置に移動する構成にしてもよい。
【００１５】
これにより、運転状態を切替える際に、加熱手段を駆動している場合のみ風路変更板を一旦初期位置に戻してから目標位置に移動し、加熱手段を駆動していない場合には風路変更板を直接目標位置に移動する。つまり風路変更板の位置がずれている可能性が高い場合には、意図した位置に風路変更板を移動させることができ、風路変更板の位置がずれている可能性が低い場合には、余分な動作を省くことができる。これにより切替え後の運転状態となるまでの時間を短縮することができ、ユーザの使用感が向上するとともに、風路変更手段の耐用年数を延長するという効果を得られる。
【００１６】
また、前記温度推定手段として前記吸い込んだ空気を加熱する加熱手段を用い、前記制御手段は、前記風路変更手段を介して前記風量割合を変更する際、加熱手段の駆動時間を算出し、前記駆動時間が所定の駆動時間以上である場合は前記風路変更板を初期位置に戻した後に目標位置に移動し、前記駆動時間が所定の駆動時間未満である場合は前記風路変更板を初期位置に戻さずに直接目標位置に移動する構成としてもよい。
【００１７】
これにより、運転状態を切替える際に、制御手段は加熱手段の駆動時間を参照することにより、駆動時間が所定の時間以上駆動している場合のみ風路変更板を一旦初期位置に戻してから目標位置に移動し、駆動時間が所定の時間未満の場合は風路変更板を直接目標位置に移動する。つまり風路変更板の位置がずれている可能性が高い場合には、意図した位置に風路変更板を移動させることができ、風路変更板の位置がずれている可能性が低い場合には、余分な動作を省くことができる。結果として、切替え後の運転状態となるまでの時間を短縮することができ、ユーザの使用感が向上するとともに、風路変更手段の耐用年数を延長するという効果を得られる。
【００１８】
また、前記風路変更板の角度と当該角度において、前記風路変更板が受ける風圧とを関連付けて記憶する角度風圧記憶手段を備え、前記制御手段は、前記風路変更手段を介して前記風量割合を変更する際、前記温度状態に加えて前記変更時の前記風路変更板の角度と角度風圧記憶手段とに基づいて前記風路変更板を初期位置に戻した後に目標位置に移動するか、または前記風路変更板を初期位置に戻さずに直接目標位置に移動する動作を選択する構成としてもよい。
【００１９】
これにより、制御手段は、運転状態切替え時に温度推定手段による推定結果に加え、角度風圧記憶手段によって記憶された風路変更板の角度毎の位置ずれの起こりやすさのデータを用いて風路変更板を初期位置に戻す条件を決定する。つまり風路変更板のずれやすさをより正確に判断することができ、風路変更板の位置がずれている可能性が低い場合には、余分な動作を省くことができる。結果として、切替え後の運転状態となるまでの時間を短縮することができ、ユーザの使用感が向上するとともに、風路変更手段の耐用年数を延長するという効果を得られる。
【００２０】
また、前記送風手段の送風量を検知する送風量検知手段を備え、前記制御手段は、前記風路変更手段を介して前記風量割合を変更する際、前記温度状態に加えて前記変更時の前記送風量検知手段からの送風量に基づいて前記風路変更板を初期位置に戻した後に目標位置に移動するか、または前記風路変更板を初期位置に戻さずに直接目標位置に移動する動作を選択する構成としてもよい。
【００２１】
これにより、制御手段は、運転状態切替え時に温度推定手段による推定結果に加え、送風量検知手段によって検知される風量に応じた風路変更板の位置ずれの起こりやすさのデータを用いて風路変更板を初期位置に戻す条件を決定する。つまり風路変更板のずれやすさをより正確に判断することができ、風路変更板の位置がずれている可能性が低い場合には、余分な動作を省くことができる。結果として、切替え後の運転状態となるまでの時間を短縮することができ、ユーザの使用感が向上するとともに、風路変更手段の耐用年数を延長するという効果を得られる。
【００２２】
以下、本発明の実施の形態について図面を参照しながら説明する。なお、以下の実施の形態は、本発明を具体化した一例であって、本発明の技術的範囲を限定するものではない。また、全図面を通して、同一の部位については同一の符号を付して二度目以降の説明を省略している。さらに、各図面において、本発明に直接には関係しない各部の詳細については説明を省略している。
【００２３】
（実施の形態１）
本実施の形態に係る浴室換気乾燥機本体１は、例えば浴室の天井に埋め込まれることで、浴室内と浴室外との間の空気の流れをコントロールする。浴室内と浴室外とは通常、壁で分離されており、異なる空間として存在する。
【００２４】
以下、図１を用いて浴室換気乾燥機本体１の構成について説明する。なお図１は、浴室換気乾燥機の構成を示す側断面図である。
【００２５】
浴室換気乾燥機本体１は、吸込口２と、浴室内吹出口３と、浴室外吹出口４と、循環風路５と、換気風路６と、加熱手段１３と、送風手段７と、風路変更手段１０と、温度検知手段１６と、制御手段１４とを備えている。
【００２６】
吸込口２は、浴室内、つまり浴室換気乾燥機本体１の下方空間（図１における下方向）から空気を吸い込むための、下向きの開口である。
【００２７】
浴室内吹出口３は、吸込口２から吸い込んだ空気を浴室換気乾燥機本体１の下方空間に吹き出すための下向きの開口である。
【００２８】
浴室外吹出口４は、吸込口２から吸い込んだ空気を浴室外、つまり浴室換気乾燥機本体１の側方空間（図１における右方向）に吹き出すための側方に向けた開口である。
【００２９】
循環風路５は、吸込口２と浴室内吹出口３とを連通する。つまり、吸込口２から浴室換気乾燥機本体１の内部空間を経て浴室内吹出口３に空気を導く風路である。
【００３０】
換気風路６は、吸込口２と浴室外吹出口４とを連通する。つまり、吸込口２から浴室換気乾燥機本体１の内部空間を経て浴室外吹出口４に空気を導く風路であり、浴室内の空気を換気するための風路である。
【００３１】
加熱手段１３は、循環風路５内に設けられたヒータであり、暖房や乾燥といった温風を吹き出す運転時に駆動して、吸込口２から吸い込んだ空気を加熱することで、浴室内吹出口３を通じて浴室内に温風を吹き出させる。
【００３２】
送風手段７は、モータ８と当該モータ８によって回転駆動することにより空気の流れを発生するファン９とから構成されている。送風手段７は、吸込口２から浴室内吹出口３及び／又は浴室外吹出口４へと空気を導く。つまり、後述する風路変更手段１０の位置によって、吸込口２から浴室内吹出口３及び浴室外吹出口４の双方へ空気を導く場合と、吸込口２から浴室内吹出口３のみに空気を導く場合と、吸込口２から浴室外吹出口４のみに空気を導く場合とがある。
【００３３】
風路変更手段１０はダンパであり、浴室内吹出口３及び浴室外吹出口４の開口よりも大きく、つまりこれら２つの開口を閉じることができる面積を有する風路変更板１１と、風路変更板１１を駆動するステッピングモータ１２とからなる。風路変更手段１０は、送風手段７からの空気の吹出しに対して風路変更板１１の配置角度を変えることで、吸込口２から吸い込んだ空気を循環風路５と換気風路６とに所定の割合で振り分ける。ここで、風路変更板１１は必ずしも平面板である必要はなく、ステッピングモータ１２に接続されて回動し、循環風路５と換気風路６を通る風量の割合を変更できるものであれば形状は問わない。
【００３４】
ステッピングモータ１２は、１相から４相までの４つの相に順次パルスを励磁することによって動作し、励磁するパルスの数によって回転する角度が決まる。つまり風路変更板１１を移動する際は、後述する制御手段１４が、ステッピングモータ１２に対して目標の角度に応じた数だけパルスを出力することにより、角度を所望の位置に移動する。１相から４相の順にパルスを出力すると後述する風路変更板１１の開度が大きく（開方向）なる構造であるとき、開度を小さく（閉方向）したい場合は、４相から１相の順にパルスを励磁すれば良い。
【００３５】
ここで、図２にステッピングモータ１２のトルクの温度特性の一例を示す。ここでのトルクは、ステッピングモータ１２が停止している場合に外力が加わったときに、外力に抵抗して停止し続けるトルクである。図２に示すようにトルクは環境温度によって変化し、温度が高いほど小さい値となる傾向にある。つまり、運転中の風路変更板１１の位置ずれは、環境温度、すなわち風路変更手段１０の周囲温度が高いほど発生しやすいといえる。
【００３６】
風路変更板１１は、回動によって移動できる角度の範囲が機構的に制限されており、開度が最小または最大となる位置では、それぞれのストッパ（図示せず）となる部分と衝突することにより、最小開度未満または最大開度より大きい開度とならないようになっている。風路変更板１１は、この最小開度または最大開度の位置を初期位置とし、運転中の風路変更板１１の位置は初期位置を基準（０度）として角度を決める。風路変更板１１を初期位置に戻す際は、ステッピングモータ１２に出力するパルスの数を所定の角度分だけ上乗せして出力することで、風路変更板１１の位置が風圧等の影響によってずれていた場合でも、確実にストッパに衝突させて初期位置に戻すことができる。
【００３７】
温度検知手段１６は、例えばステッピングモータ１２の近傍に備えられ、送風手段７によって送風される空気の温度、すなわちステッピングモータ１２自体またはステッピングモータ１２の周囲温度を検知して推定している。当然、検知した温度をそのまま検知温度としてもよいし、温度検知手段１６が検知した温度とステッピングモータ１２までの距離とに基づいて、ステッピングモータ１２の温度を推定して検知温度としてもよい。
【００３８】
制御手段１４は、風路変更手段１０や送風手段７、加熱手段１３等の各デバイスに接続され、制御手段１４と信号の授受を行うことで各デバイスの動作を制御する。例えば風路変更手段１０の停止位置や送風手段７の風量、加熱手段１３のオン・オフなどが制御に該当する。
【００３９】
このような浴室換気乾燥機において、従来、循環風路５と換気風路６を通る風量の割合を変更する際は、一旦風路変更板１１の位置を初期位置に戻した後に目標位置に移動するという動作をさせていた。これは、運転中に送風手段７から受ける風圧等の影響によって風路変更板１１の位置がずれていた場合でも、一旦初期位置に戻してストッパと衝突させ、ずれを補正（リセット動作）することにより、切替え後の運転状態では風路変更板１１を意図通りの位置にするためである。しかし、この方法では、風路変更板１１の位置がずれる可能性が低い場合でも、運転状態を切替える際には必ず初期位置に移動する動作を経由するため、切替え後の運転状態となるまでに、風路変更板１１の移動時間分だけ長くかかる。このため、使用者が運転の切り替わりを待つ時間が増えてしまう。また、初期位置に移動してストッパと衝突する回数が多いほど、ステッピングモータ１２の耐用年数、すなわち風路変更手段１０の耐用年数は短くなりやすい。
【００４０】
そこで、本実施の形態１においては、浴室換気乾燥機本体１は、風路変更手段１０の温度を推定する温度推定手段として温度検知手段１６を備えている。そして、制御手段１４は、風路変更手段１０を介して換気と循環の風量割合を変更する際に、温度検知手段１６から得られた温度状態に基づいて前記リセット動作の実施有無を選択する構成とする。つまり、温度検知手段１６による検知温度が所定の温度よりも高い場合には、風路変更板１１を初期位置に戻した後に目標位置に移動し、検知温度が所定の温度よりも低い場合には風路変更板１１を初期位置に戻さずに直接目標位置に移動する。なお、温度推定手段によって推定される風路変更手段１０の温度は、ステッピングモータ１２の温度または風路変更板１１周辺の温度、すなわち風路変更手段１０周辺の温度であれば良い。
【００４１】
以下、風路変更手段を移動する際の詳細な流れについて、図３を用いて説明する。図３は、浴室換気乾燥機の構成を示すブロック図である。
【００４２】
使用者が、リモートコントローラ、すなわちリモコン１５を介して、浴室換気乾燥機本体１に暖房、乾燥、涼風、換気といった運転モードの信号を送ると、制御手段１４は、受信した運転モードの信号に応じて送風手段７、加熱手段１３、風路変更手段１０を駆動させる。
【００４３】
送風手段７、風路変更手段１０、加熱手段１３の動作は運転モードごとにあらかじめ定められており、例えば暖房運転の場合は、送風手段７と加熱手段１３を駆動するとともに、循環風路５を通る風量の割合が１００％となるように風路変更手段１０を移動させる。これにより、浴室内に循環する空気を温めて浴室の温度を上昇させる。また、例えば涼風運転の場合は、加熱手段１３は駆動せず、送風手段７を駆動するとともに、循環風路５を通る風量と換気風路６を通る風量の割合がともに５０％となる位置に風路変更手段１０を移動させる。これにより、浴室内の一部の空気を排気しながら浴室内の空気を循環させる。
【００４４】
なお、本実施の形態では、風路変更板１１の初期位置を最小開度の位置、つまり、換気風路６を通る風量の割合が１００％となる位置とする。そして、循環風路５を通る風量の割合を１００％とする位置は開度６０度の位置とし、循環風路５を通る風量と換気風路６を通る風量の割合がともに５０％となる位置は開度４０度の位置とする。
【００４５】
風路変更板１１が初期位置にある状態でリモコン１５から暖房運転の信号を受けた場合、制御手段１４は、開方向６０度に対応する数のパルスをステッピングモータ１２に出力し、風路変更板１１を移動させる。これにより、風路変更板１１は開方向６０度に位置し、送風手段７と加熱手段１３が駆動することにより暖房運転が実施される。
【００４６】
風路変更板１１の移動が完了し、暖房運転状態となった後に涼風の信号を受けた場合、涼風運転に切替えるためには風路変更手段１０の位置を変更する必要がある。このとき、制御手段１４は、サーミスタである温度検知手段１６の検知温度に基づいて、風路変更板１１を初期位置に戻すリセット動作の要否を決定する。例えば、温度検知手段１６の検知温度が３５度以上であればリセット動作を行い、３５度未満であればリセット動作を行わないといった条件に従って動作を決定する。
【００４７】
リセット動作を行うと判断した場合、制御手段１４は、現在位置である６０度に対してずれを補正するため１０度の角度を上乗せする。つまり、閉方向７０度分のパルスをステッピングモータ１２に出力する。その後、目標位置である４０度の位置まで移動するため、開方向４０度分のパルスを出力する。
【００４８】
リセット動作を行わないと判断した場合は、制御手段１４は、現在位置である６０度と目標位置である４０度の差分により、閉方向に２０度分のパルスをステッピングモータ１２に出力することにより、初期位置を経由せず、直接目標位置へ移動する。
【００４９】
このように、風路変更板１１の角度変更時に、温度検知手段１６によってリセット動作の必要有無を決定することにより余分な動作を省き、ユーザの使用感が向上するとともに、風路変更手段の耐用年数を延長することができる。
（実施の形態２）
続いて、本発明の実施の形態２に係る浴室換気乾燥機本体１ｂの構成について図４を用いて説明する。なお図４は、本実施の形態に係る浴室換気乾燥機本体１ｂの構成を示すブロック図である。実施の形態１では、温度推定手段として温度検知手段１６を用いた例を示したが、本実施の形態では、温度推定手段として加熱手段１３を用いた例を示す。
【００５０】
図４に示すように、制御手段１４は、温度推定手段として加熱手段１３を用い、加熱手段１３の駆動状態によって温度を推定する。つまり、制御手段１４は、風路変更手段１０を介して風量割合を変更する際、変更時の運転状態が加熱手段１３を駆動している場合には、風路変更手段１０周辺の温度が高温であったと判断し、風路変更板１１を初期位置に戻した後に目標位置に移動する。また、制御手段１４は、風路変更手段１０を介して風量割合を変更する際、加熱手段１３を駆動していない場合には、風路変更手段１０周辺の温度が低温であると判断し、風路変更板１１を初期位置に戻さずに直接目標位置に移動する。
【００５１】
また、制御手段１４は、風量割合を変更する時点での加熱手段１３の駆動状態ではなく、加熱手段１３が駆動していた時間を算出し、駆動時間を用いて温度を推定する構成としても良い。この構成において、制御手段１４は、風路変更板１１を初期位置に戻した際に加熱手段１３の駆動時間カウント値をクリアし、その後の運転中に加熱手段１３が駆動状態となった場合に駆動時間のカウントを開始し、駆動状態でなくなった場合にカウントを停止する。つまり、制御手段１４は、前回初期位置に戻した時からの加熱手段１３の累積稼働時間を積算する。風路変更手段１０を介して風量割合を変更する際は、その時点で積算された加熱手段１３の駆動時間カウント値を参照し、駆動時間が所定の時間以上の場合は、風路変更手段１０周辺の温度が高温であったと判断し、風路変更板１１を初期位置に戻した後に目標位置に移動し、駆動時間カウント値をクリアする。また、加熱手段１３の駆動時間が所定の時間未満の場合、風路変更手段１０周辺の温度が低温であると判断し、風路変更板１１を初期位置に戻さずに直接目標位置に移動し、駆動時間カウント値はクリアしない。このような構成とすれば、加熱手段１３の駆動時間が所定の時間以上となった場合、次に風量割合を変更するタイミングでリセット動作を行うこととなる。
【００５２】
以上のように、温度推定手段として加熱手段１３を用い、加熱手段１３の駆動状態をもとに温度を推定することで、リセット動作の必要有無を決定することにより余分な動作を省き、ユーザの使用感が向上するとともに、風路変更手段の耐用年数を延長することができる。
（実施の形態３）
続いて、本発明の実施の形態３に係る浴室換気乾燥機本体１ｃの構成について図５を用いて説明する。なお図５は、本実施の形態に係る浴室換気乾燥機本体１ｃの構成を示すブロック図である。図５は、実施の形態１の構成である図３に対し、制御手段１４への入力として、角度風圧記憶手段１７を追加した構成となっている。
【００５３】
角度風圧記憶手段１７は、風路変更板１１の角度と、当該角度において風路変更板１１が受ける風圧とを関連付けて記憶したものであり、例えば角度と風圧の関係を示すテーブル形式で表現される。角度風圧記憶手段１７の一例を図６に示す。図６において、角度とは、換気風路６を通る風量の割合が１００％となる位置を初期位置（０度）とした場合の風路変更板１１の角度であり、循環風路５を通る風量の割合が１００％となる位置での角度は６０度で、この角度が最大となる。風圧は、運転中に設定され得る風路変更板１１の角度それぞれに対して、その位置での風圧の影響の受けやすさ、つまり風路変更板１１の位置ずれの起こりやすさを「大」、「中」、「小」で示している。なお、風路変更板１１の角度と自重の影響による位置ずれの起こりやすさを含めて「大」、「中」、「小」を決めても良い。
【００５４】
実施の形態１と同様、制御手段１４は、風路変更手段１０を介して風量割合を変更する際、温度検知手段１６の検知温度に基づいて風路変更板１１のリセット動作の要否を決定する。ただし本実施の形態においては、リセット動作の要否を決定する際、角度風圧記憶手段１７を参照し、現在の風路変更板１１の角度における風圧の影響の大きさに応じてリセット要否を判定する温度の閾値を変更する。例えば、風圧「中」の場合のリセット要否を決める閾値を３５度としたとき、風圧「小」の場合は風圧「中」の場合と比較すると位置ずれは起こりにくいため、閾値の温度を上げて３６度とする。閾値の温度を上げることにより、リセット動作の発生頻度が下がり、使用感が向上するとともに、風路変更手段１０の耐久年数を延長できる。同様に、風圧「大」の場合は位置ずれが起こりやすいため、閾値の温度を下げて３４度とする。閾値の温度を下げることによって、リセット動作の発生頻度は上がるが、位置ずれの可能性の高い場合にもリセット動作を省略してしまうことによって、変更後の風路変更板１１の位置を補正できないことを防ぐことができる。このようにすることで、温度だけではなく風路変更板１１の位置に応じた風圧の影響を含めて風路変更板１１の位置ずれの発生しやすさを判断し、適切な場面でリセット動作を行うことができる。
【００５５】
さらに、運転中の風路変更板１１が風圧「大」、「中」、「小」それぞれの位置にあった時間を積算しておき、積算されたカウント値に応じて閾値の温度を変更すれば、リセット要否をより正確に判断することが可能になる。
【００５６】
なお、角度風圧記憶手段１７として、図６ではテーブルの例を示したが、風圧を判断する角度の閾値を記憶し、閾値以上の角度であれば風圧「大」、閾値未満の角度であれば風圧「小」というように、風路変更板１１が受ける風圧を判断する構成としても良い。
【００５７】
以上のように、位置ずれの可能性が低い場合には余分な動作を省くことにより、ユーザの使用感が向上するとともに、風路変更手段の耐用年数を延長することができる。
（実施の形態４）
続いて、本発明の実施の形態４に係る浴室換気乾燥機本体１ｄの構成について図７を用いて説明する。なお図７は、本実施の形態に係る浴室換気乾燥機本体１ｄの構成を示すブロック図である。図７は、実施の形態１の構成である図３に対し、制御手段１４への入力として、送風量検知手段１８を追加した構成となっている。
【００５８】
送風量検知手段１８は、運転中に送風手段７によって送風される風量を「強」、「中」、「弱」のように判断するものである。送風量検知手段１８が検知する風量は、センサ等により風量を直接測定するものに限らず、制御手段１４から送風手段７に出された「強」、「中」、「弱」等の風量設定指示を読み取るものでも良い。
【００５９】
実施の形態１と同様、制御手段１４が温度検知手段１６の検知温度に基づいて風路変更板１１のリセット動作の要否を決定する際、送風量検知手段１８を参照し、現在の風量の大きさに応じてリセット要否を判定する温度の閾値を変更する。例えば、風量「中」の場合のリセット要否を決める閾値の温度を３５度としたとき、風量「小」の場合は風量「中」の場合と比較すると位置ずれは起こりにくいため、閾値の温度を上げて３６度とする。同様に、風量「大」の場合は位置ずれが起こりやすいため、閾値の温度を下げて３４度とする。このようにすることで、温度だけではなく送風手段７の送風量の影響を含めて風路変更板１１の位置ずれの発生しやすさを判断し、適切な場面でリセット動作を行うことができる。
【００６０】
さらに、運転中の送風量検知手段１８の検知風量が風量「大」、「中」、「小」それぞれの状態であった時間を積算しておき、積算されたカウント値に応じて閾値の温度を変更すれば、リセット要否をより正確に判断することが可能になる。
【産業上の利用可能性】
【００６１】
本発明にかかる浴室換気乾燥機は、風路変更手段の位置ずれの可能性が低い場合に余分なリセット動作を省くことによって使用感と耐久年数を向上させるものであり、風路変更手段を有する浴室換気乾燥機等として有用である。
【符号の説明】
【００６２】
１，１ｂ，１ｃ，１ｄ    浴室換気乾燥機本体
２    吸込口
３    浴室内吹出口
４    浴室外吹出口
５    循環風路
６    換気風路
７    送風手段
８    モータ
９    ファン
１０    風路変更手段
１１    風路変更板
１２    ステッピングモータ
１３    加熱手段
１４    制御手段
１５    リモコン
１６    温度検知手段
１７    角度風圧記憶手段
１８    送風量検知手段
【図１】
2017089958.tif 000003
【図２】
2017089958.tif 000004
【図３】
2017089958.tif 000005
【図４】
2017089958.tif 000006
【図５】
2017089958.tif 000007
【図６】
2017089958.tif 000008
【図７】
2017089958.tif 000009